(57)【要約】【課題】送風ユニットと接続可能な加湿ユニットを接続する部分の騒音を低減すると共に、ダクト接続部と加湿ユニットとを簡単に接続することができる加湿ユニットを提供する。【解決手段】送風機７を有する送風ユニット２と接続可能な加湿ユニット１であって、加湿ユニット１は、送風機７により吸い込まれた空気を加湿する加湿部１８と、吸込口を形成する接続部２５と、を有し、加湿ユニット１に隣接して設けられるチャンバー３もしくはダクト３０と接続部２５とが接続されることにより、送風ユニット２と連通する加湿ユニット１。【選択図】図１
2020041765.tif 000002
【特許請求の範囲】
【請求項１】
送風機を有する送風ユニットと接続可能な加湿ユニットであって、
前記加湿ユニットは、前記送風機により吸い込まれた空気を加湿する加湿部と、吸込口を形成する接続部と、を有し、
前記加湿ユニットに隣接して設けられるチャンバーもしくはダクトと前記接続部とが接続されることにより、前記送風ユニットと連通することを特徴とする加湿ユニット。
【請求項２】
前記チャンバーは、アダプター部を有し、
前記接続部は、前記加湿部の上方に設けられる蓋部分と、前記蓋部分と係合する本体側部分と、を有し、
前記アダプター部が前記蓋部分と前記本体側部分とにより挟み込まれることで、前記チャンバーと前記加湿ユニットとが接続されることを特徴とする請求項１に記載の加湿ユニット。
【請求項３】
前記アダプター部に設けられるパッキンを備え、
前記パッキンは、前記蓋部分と前記本体側部分とにより押しつぶされることを特徴とする請求項２に記載の加湿ユニット。
【請求項４】
前記チャンバーは板金で構成されることを特徴とする請求項１〜３のいずれか１項に記載の加湿ユニット。
【請求項５】
前記チャンバーの内部に吸音材を備えることを特徴とする請求項１〜４のいずれか１項に記載の加湿ユニット。
【請求項６】
前記送風ユニットは、給気口を有し、
前記給気口に接続された前記ダクトに前記接続部を挿入することで、前記送風ユニットと連通することを特徴とする請求項１に記載の加湿ユニット。
【請求項７】
前記加湿ユニットは、貯水部と、吸上管と、回転板と、を有し、
前記吸上管は、前記貯水部の液体を吸い上げ、
前記回転板は、前記吸上管が吸い上げた液体を回転により微細化して空気を加湿し、
前記吸込口は、前記加湿ユニットの側部に設けられることを特徴とする請求項１〜６のいずれか１項に記載の加湿ユニット。
【請求項８】
前記送風ユニットは、熱交換素子を有し、
前記送風機により送風される空気は、前記熱交換素子、前記送風機、前記加湿部の順に通過することを特徴とする請求項１〜７のいずれか１項に記載の加湿ユニット。
【発明の詳細な説明】
【技術分野】
【０００１】
本発明は、住宅やビル等に使用する送風ユニットに接続可能な加湿ユニットに関する。
【背景技術】
【０００２】
例えば、従来の加湿ユニットの構成は、以下のような構成となっていた。
【０００３】
図８に示すように、従来の加湿ユニットでは、吸い込み口１５０から吸い込まれた空気が送風ファン１１４によって器具本体１０１の上部方向へ送風され、送風された空気が貯水室１０８の上部から加湿空気発生手段（回転体１１０、多孔部１１３）に流入し、流入した空気が多孔部１１３で発生したナノミストとマイナスイオンを含んだ加湿空気として送風通路１１５内を上昇し、送風口１０２から室内へ送風されることで、ナノミストとマイナスイオンを含んだ加湿空気を室内へ供給する。
【先行技術文献】
【特許文献】
【０００４】
【特許文献１】特開２０１６−１６６７０９号公報
【発明の概要】
【発明が解決しようとする課題】
【０００５】
このような従来の加湿ユニットは、送風部分と加湿部分とが一体となっていることが一般的で、既存の送風ユニットに加湿ユニットを取り付けることは困難であった。また、加湿ユニットと送風ユニットを接続すると、送風ユニットで発生する運転騒音が伝わりやすいという課題や、ダクト接続部分と加湿ユニットとを接続する際の作業性が悪く空気漏れが発生するおそれが高いという課題がある。
【０００６】
そこで、本発明は、上記課題を解決するものであり、送風ユニットと接続可能な加湿ユニットから伝わる騒音を低減すると共に、送風ユニットと簡単に接続することができる加湿ユニットを提供することを目的とする。
【課題を解決するための手段】
【０００７】
そして、この目的を達成するために、本発明の一態様に係る加湿ユニットは、送風機を有する送風ユニットと接続可能な加湿ユニットであって、前記加湿ユニットは、前記送風機により吸い込まれた空気を加湿する加湿部と、吸込口を形成する接続部と、を有し、前記加湿ユニットに隣接して設けられるチャンバーもしくはダクトと前記接続部とが接続されることにより、前記送風ユニットと連通するものであり、これにより所期の目的を達成するものである。
【発明の効果】
【０００８】
この構造によって、送風ユニットと接続可能な加湿ユニットにおいて、加湿ユニットで発生する騒音を低減することができ、また、ダクト接続部と加湿ユニットとの接続作業の作業性が向上するという効果を得ることができる。
【図面の簡単な説明】
【０００９】
【図１】本発明の実施の形態１に係る加湿ユニットの概略斜視図
【図２】同加湿ユニットの概略断面図
【図３】同加湿ユニットを送風ユニットと接続した状態を示す概略斜視図
【図４】本発明の実施の形態１に係るチャンバーの概略斜視図
【図５】同加湿ユニットとチャンバーとを接続する状態を示す概略斜視図
【図６】同加湿ユニットの空気の流れを示す概略斜視図
【図７】本発明の実施の形態２に係る加湿ユニットを送風ユニットと接続した状態を示す概略断面図
【図８】従来技術を示す概略図
【発明を実施するための形態】
【００１０】
本発明の一態様に係る加湿ユニットは、送風機を有する送風ユニットと接続可能な加湿ユニットであって、加湿ユニットは、送風機により吸い込まれた空気を加湿する加湿部と、吸込口を形成する接続部と、を有し、加湿ユニットに隣接して設けられるチャンバーもしくはダクトと接続部とが接続されることにより、送風ユニットと連通する。
【００１１】
これにより、加湿ユニット（加湿部）で発生する運転騒音をチャンバーで吸収することができる。
【００１２】
また、チャンバーは、アダプター部を有し、接続部は、加湿部の上方に設けられる蓋部分と、蓋部分と係合する本体側部分と、を有し、アダプター部が蓋部分と本体側部分とにより挟み込まれることで、チャンバーと加湿ユニットとが接続されるという構成であってもよい。
【００１３】
これにより、チャンバー、特にアダプター部と加湿ユニットとをより容易に接続することができる。
【００１４】
また、アダプター部に設けられるパッキンを備え、パッキンは、蓋部分と本体側部分とにより押しつぶされるという構成であってもよい。
【００１５】
これにより、アダプター部と加湿ユニットとの接続部分の気密性が向上する。
【００１６】
また、チャンバーは板金で構成されていてもよい。
【００１７】
これにより、チャンバーの断熱性を向上し、送風ユニットの運転騒音を遮音することができる。
【００１８】
また、チャンバーの内部に吸音材を備えるという構成であってもよい。
【００１９】
これにより、チャンバーの消音性及び、断熱性を向上できる。
【００２０】
また、送風ユニットは、給気口を有し、給気口に接続されたダクトに接続部を挿入することで、送風ユニットと連通する加湿ユニットという構成であってもよい。
【００２１】
これにより、例えば加湿ユニットを大型化した場合でも接続部の大きさにあわせたダクトに挿入することで加湿ユニットと送風ユニットを接続することができ、施工性が向上する。
【００２２】
また、加湿ユニットは、貯水部と、吸上管と、回転板と、を有し、  吸上管は、貯水部の液体を吸い上げ、  回転板は、吸上管が吸い上げた液体を回転により微細化して空気を加湿し、吸込口は、加湿ユニットの側部に設けられるという構成であってもよい。
【００２３】
この構成により、加湿ユニットの加湿量は、回転板の回転数により定まる。つまり、加湿ユニットは、回転板の回転数を制御することで、加湿量をコントロールすることができる。つまり、湿度をより適切にコントロールすることができる。
【００２４】
また、送風ユニットは、熱交換素子を有し、送風機により送風される空気は、熱交換素子、送風機、加湿部の順に通過するという構成であってもよい。
【００２５】
これにより、熱交換素子を通った空気を加湿ユニットで加湿するので、効率よく加湿できる。
【００２６】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００２７】
（実施の形態１）
まず、図１〜図３を用いて、加湿ユニットの構成について説明する。
【００２８】
図１に示すように、加湿ユニット１は、送風ユニット２と接続可能である。
【００２９】
図１および図２に示すように、加湿ユニット１は、円柱状の容器として構成されている。また、  加湿ユニット１は、吸込口２１と、吹出口１９と、内筒２３と、外筒２２と、接続部２５と、を含む。
【００３０】
吸込口２１は、例えば円形形状の開口であり、加湿ユニット１の側面に設けられている。吸込口２１は、接続部２５の蓋部分５と本体側部分６とにより形成される開口である。
【００３１】
吹出口１９は、加湿ユニット１内部を通過した空気が吹き出される開口であり、加湿ユニット１の上面に設けられている。また、吹出口１９は、後述する内筒２３と外筒２２とで仕切られる領域に形成される。そして、例えば吹出口１９は、加湿ユニット１の上面部における内筒２３の周囲に設けられる。さらに、吹出口１９は、吸込口２１よりも上方に位置するように設けられている。また、吹出口１９は、筒状のダクトが接続可能な形状である。
【００３２】
図２に示すように、吸込口２１から取り込まれた（吸い込まれた）空気は、吹出口１９から吹き出される（流出する）。
【００３３】
内筒２３は、加湿ユニット１内部の中央付近に配置される。また、外筒２２は、円筒形状に形成され、内筒２３を内包するように配置されている。
【００３４】
接続部２５は、蓋部分５と、本体側部分６と、を含む。蓋部分５は、加湿ユニット１の天面近傍に設けられる。本体側部分６は蓋部分５と係合する。蓋部分５と本体側部分６とが係合することで、接続部２５は円形形状となり、中央に開口（吸込口２１）を形成する。すなわち、蓋部分５は吸込口２１の上側半分を形成し、本体側部分６は吸込口２１の下側部分を形成する。
【００３５】
図２に示すように、加湿ユニット１は、貯水部と１４、加湿部１８と、を有する。
【００３６】
吸込口２１から吸いこまれた空気は、内筒２３内部に至る構成となっている。そして、内筒２３内部から下方向に送風された後、内筒２３の外側に設けられた風路を上方向に送風される。
【００３７】
貯水部１４は、加湿ユニット１の下部に設けられ、液体を貯留する。本実施の形態では、貯水部１４に貯留する液体を水とする。
【００３８】
加湿部１８は、吸上管１５と、回転板１６と、モータ１７と、を有する。また、加湿部１８は、内筒２３の内側すなわち内筒２３に覆われる位置に設けられている。
【００３９】
吸上管１５は、回転により貯水部１４から水を吸い上げる。回転板１６は、中央が開口したドーナツ状の円板形状に形成され、吸上管１５の直径の大きい側に配置されている。吸上管１５の直径の大きい側には、その側面に複数の開口が設けられており、吸上げた水が開口を通過して回転板１６に供給されるようになっている。そして、回転板１６は、吸上管１５により吸い上げられた水を回転面方向に放出する。モータ１７は、吸上管１５および回転板１６を回転させる。
【００４０】
次に、図３を用いて、加湿ユニットに接続される送風ユニット２について説明する。
【００４１】
図３は、加湿ユニット１が送風ユニット２に接続された状態を示す概略斜視図である。
【００４２】
送風ユニット２は、加湿ユニット１の下に設けられ、送風機７を含む。
【００４３】
送風機７は、箱形の本体ケースに内蔵される。本体ケースは、例えば床に置かれた状態で使用される。
【００４４】
本体ケースの例えば天面には、外気吸込口２７、給気口２６、室内空気吸込口（図示せず）、および排気口２９が設けられている。
【００４５】
外気吸込口２７は、室内空気吸込口および排気口２９と隣り合う位置に設けられる。また、給気口２６は、室内空気吸込口および排気口２９と隣り合う位置に設けられる。すなわち、室内空気吸込口および排気口２９は、外気吸込口２７および給気口２６と隣り合う位置にそれぞれ設けられる。
【００４６】
外気吸込口２７、給気口２６、室内空気吸込口、および排気口２９には、それぞれダクトが接続できる形状となっている。外気吸込口２７と排気口２９に接続したダクトは建物外壁面まで引き回して建物外の屋外空気と連通する。給気口２６と室内空気吸込口に接続したダクトは室内の天井面または壁面と連通されて室内空気と連通する。
【００４７】
また、送風ユニット２は熱交換素子２０を備えていてもよい。これにより、送風ユニット２で湿度回収を行うことが可能となり、より精度良く湿度コントロールを行うことができる。
【００４８】
以下、図３を用いて加湿ユニット１の動作について説明する。
【００４９】
初めに、図示しない給水設備より水が給水口から貯水部１４に供給され、貯水部１４に水が貯水される。そして、後述する送風ユニット２等によって吸込口２１から加湿ユニット１内部に吸い込まれた空気は、吹出口１９から外部例えば室内に向けて吹出される。このとき、加湿部１８によって発生した水滴と、内筒２３内部を通過する空気とが接触し、水滴が気化することにより空気を加湿することができる。
【００５０】
次に、図３および図４を用いて、送風ユニット２と加湿ユニット１を接続する部分であるチャンバー３について説明する。
【００５１】
図３に示すように、チャンバー３は加湿ユニット１に隣接して設けられる。また、送風機７の吐出口の直上に設けられていてもよい。これにより、送風機７により送風される空気がスムーズにチャンバー３内部に流入する。すなわち、圧力損失（圧損）を低減できる。なお、ここでいう「直上」とは、チャンバー３を鉛直方向上方から見たときに、送風機７の吐出口がチャンバー３に重なる範囲とする。
【００５２】
チャンバー３は、チャンバー本体部８と、チャンバー蓋部９と、アダプター部４と、連通口１１と、を備える。また、チャンバー３は加湿ユニット１の側面を覆うように設けられており、加湿ユニット１と、送風ユニット２とを連通している。
【００５３】
チャンバー本体部８は、箱型形状の板金で構成される。チャンバー本体部８の下面は送風ユニット２の給気口２６に接続される。チャンバー３、特にチャンバー本体部８が板金で構成されることで、送風ユニット２で発生する騒音の遮音効果を奏する。
【００５４】
チャンバー蓋部９は、チャンバー本体部８の上方に設けられる。
【００５５】
アダプター部４は、チャンバー本体部８の側面に設けられ、加湿ユニット１と接続される。アダプター部４は連通口１１を有する。連通口１１は吸込口２１と連通する。
【００５６】
給気口２６から吹き出された空気は、チャンバー本体部８の下面からチャンバー本体部８の内部に流入し、連通口１１から吹き出される。連通口１１から吹き出された空気は、吸込口２１から加湿ユニット１内部に流入する。
【００５７】
チャンバー３は、内部に吸音材１０を備える構成であってもよい。これにより消音効果を奏する。また、吸音材１０は、チャンバー本体部８の内部およびチャンバー蓋部９の下面に設けられていてもよい。
【００５８】
さらに、アダプター部４にはパッキン１２を備えていてもよい。この場合、蓋部分５と係合する本体側部分６との挟み込みの際にパッキン１２が押しつぶされ、気密性を向上させる。
【００５９】
なお、本実施例ではチャンバー３は板金で構成されるものとしたが、樹脂で構成されていてもよい。これにより外気温度の影響を受けにくくなり、結露等を抑制できる。
【００６０】
次に、加湿ユニットと送風ユニットの接続方法について図５を用いて説明する。
【００６１】
図５に示すように、チャンバー３と加湿ユニット１は、アダプター部４が蓋部分５と本体側部分６とで挟み込まれることで接続される。すなわち、アダプター部４の上面は蓋部分５と、アダプター部４の下面は本体側部分６と、それぞれ密着する。これにより、チャンバー３と加湿ユニット１との接続が安定する。
【００６２】
なお、接続する手順として例えば、まずアダプター部４と本体側部分６とを接続し、その後に蓋部分５と接続するという手順であってもよい。また、まずアダプター部４と蓋部分５とを接続し、その後に本体側部分６と接続するという手順であってもよい。
【００６３】
また、アダプター部４にパッキン１２が設けられている場合には、蓋部分５と本体側部分６とでアダプター部４が挟み込まれることで、パッキン１２が押しつぶされ、チャンバー３と加湿ユニット１との接続部分における気密性が向上する。
【００６４】
次に、加湿ユニットと送風ユニットにおける空気の流れについて図６を用いて説明する。
【００６５】
図６に示すように、送風ユニット２から吹き出された空気は、連通しているチャンバー３を通って加湿ユニット１に送風され、送風された空気が貯水部１４の上部から吸上管１５を通り加湿空気発生手段（回転板１６）に流入し、流入した空気が加湿空気として通風路１３を上昇し、吹出口１９から室内へ送風されることで、加湿空気を室内へ供給する。
【００６６】
なお、送風機７の吐出口は、吸い込んだ空気を上向きに送風するよう設けられ、チャンバー３は、送風機７の吐出口の直上に設けられ、送風機７により送風される空気は、チャンバー３を通過した後に吹出口１９から吹き出される構成にしてもよい。これにより、送風機７により発生する運転騒音をチャンバー３で吸収することができる。
【００６７】
また、送風機７の吐出口は、加湿部１８の直下より本体ケースの側壁側に設けられる構成にしてもよい。ここで、加湿部１８の直下とは、送風機７の吐出口を直上から見たときに、送風機７の吐出口が加湿部１８に重なる範囲とする。これにより、加湿ユニット１への空気の流入がスムーズになり、圧損を低減できる。また、加湿部１８から水漏れが発生した場合の、送風機７への水の浸入を抑制できる。
【００６８】
（実施の形態２）
実施の形態１と同じ構成の箇所は同じ符号を付与し、詳細な説明は省略する。
【００６９】
図７に示すように、チャンバー３の代わりにダクト３０を用いて加湿ユニット１と送風ユニット２とを接続するという構成であってもよい。このとき、給気口２６に接続されたダクト３０に接続部２５を挿入することにより、加湿ユニット１と送風ユニット２とが連通する。ダクト３０は、図７に示すように、加湿ユニット１に隣接して設けられる。そして、送風機７により外気吸込口から吸い込まれた空気（外気）は、送風ユニット２内を通過した後、給気口２６から吹き出され、ダクト３０を通過して、吸込口２１から加湿ユニット１内部に流入することとなる。これにより、例えば加湿ユニット１を大型化し、それに伴い接続部２５が大きくなった場合でも、対応する径のダクトを挿入するだけで加湿ユニット１と送風ユニット２とを接続することが可能となり、施工性ならびに汎用性が向上する。
【００７０】
以上、本発明に係る加湿送風ユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７１】
本発明の送風加湿ユニットは、換気装置、空気清浄機および空気調和機等への活用が期待される。
【符号の説明】
【００７２】
１    加湿ユニット
２    送風ユニット
３    チャンバー
４    アダプター部
５    蓋部分
６    本体側部分
７    送風機
８    チャンバー本体部
９    チャンバー蓋部
１０    吸音材
１１    連通口
１２    パッキン
１３    通風路
１４    貯水部
１５    吸上管
１６    回転板
１７    モータ
１８    加湿部
１９    吹出口
２０    熱交換素子
２１    吸込口
２２    外筒
２３    内筒
２５    接続部
２６    給気口
２７    外気吸込口
２９    排気口
３０    ダクト
【図１】
2020041765.tif 000003
【図２】
2020041765.tif 000004
【図３】
2020041765.tif 000005
【図４】
2020041765.tif 000006
【図５】
2020041765.tif 000007
【図６】
2020041765.tif 000008
【図７】
2020041765.tif 000009
【図８】
2020041765.tif 000010